(57)【要約】【課題】本発明は特に射出成形により形成されるプラスチックレンズの製造方法に関するもので、ピックアップ装置における非点収差の調整が容易に行えるプラスチックレンズの製造方法を提供することを目的とする。【解決手段】射出成形によってプラスチックレンズ７の有効径部１２に生じる複屈折に起因する非点収差を非有効径部１３の外周側面に対して外部応力１５を加えることで調整することで、射出成形後に非点収差を任意に調整でき、ピックアップ装置における非点収差の調整を容易に行えるようになるのである。【選択図】図３
2005084080.tif 000002
【特許請求の範囲】
【請求項１】
樹脂の射出成形により形成されたプラスチックレンズにおいて、前記プラスチックレンズは光学機能面を形成する有効径部と、この有効径部の外周部分に設けられた非有効径部とからなり、前記射出成形によって前記有効径部に生じる複屈折に起因する非点収差を前記非有効径部の外周側面に対して外部応力を加えることで前記非点収差を調整することを特徴としたプラスチックレンズの製造方法。
【請求項２】
プラスチックレンズを射出成形時に形成されるゲートから分離した後に外部応力を加えることを特徴とした請求項１に記載のプラスチックレンズの製造方法。
【請求項３】
非有効径部の外周端部分に対して切削加工で凹部を形成することにより外部応力を加えることを特徴とする請求項２に記載のプラスチックレンズの製造方法。
【請求項４】
凹部の幅により非点収差を調整することを特徴とした請求項３に記載のプラスチックレンズの製造方法。
【請求項５】
凹部の深さにより非点収差を調整することを特徴とした請求項３に記載のプラスチックレンズの製造方法。
【請求項６】
凹部の位置により非点収差を調整することを特徴とした請求項３に記載のプラスチックレンズの製造方法。
【請求項７】
凹部を複数設けて非点収差を調整することを特徴とした請求項３に記載のプラスチックレンズの製造方法。
【発明の詳細な説明】
【技術分野】
【０００１】
本発明は、特に射出成形により形成されるプラスチックレンズの製造方法に関するものである。
【背景技術】
【０００２】
一般に樹脂の射出成形によって形成されたプラスチックレンズにおいては図４に示されるようにゲート１から光軸２に向かう矢印で示された射出方向３に対して複屈折が生じ、これに起因してプラスチックレンズ７に非点収差が発生し、そのスポット４の形状が楕円形状となってしまうことが知られている。
【０００３】
従来、このようにして形成されたプラスチックレンズの非点収差により楕円形状となったスポット４は、光ピックアップ装置における発光素子の非点収差を調整するために利用されているが、そのプラスチックレンズの非点収差自体を調整する点すなわちスポット４の形状を調整する点については、射出成形に用いられる成形金型の成形面を非点収差が生じるように回転非対称に形成し、転写された光学面自体に非点収差を形成しこの非点収差を用いて先に延べた射出成形によって生じる複屈折に起因する非点収差を調整するようにしていた。
【０００４】
なお、この出願の発明に関する先行技術文献情報としては、例えば、特許文献１が知られている。
【特許文献１】特開平５−１０７４６７号公報
【発明の開示】
【発明が解決しようとする課題】
【０００５】
しかしながら、近年光ピックアップ装置におけるＤＶＤなどの光学式情報記録媒体の高密度記録が進められる中、光学式情報記録媒体におけるピットサイズの小型化が進められるようになり、先に述べたように発光素子の非点収差をプラスチックレンズの非点収差をもって調整しようとしても、プラスチックレンズの非点収差量が射出成形の条件及び成形金型の条件によって決定されてしまうため、これらの条件を合わせることが非常に緻密な作業となってしまうため、非点収差を所望の値内に抑制することが困難なものとなっていた。
【０００６】
そこで、本発明はこのような問題を解決しピックアップ装置における非点収差の調整が容易に行えるプラスチックレンズの製造方法を提供することを目的とする。
【課題を解決するための手段】
【０００７】
そして、この目的を達成するために本発明の請求項１に記載の発明は、特に、射出成形によってプラスチックレンズの有効径部に生じる複屈折に起因する非点収差をプラスチックレンズの非有効径部の外周側面に対して外部応力を加えることで調整することで、射出成形後に非点収差を任意に調整でき、ピックアップ装置における非点収差の調整を容易に行えるようになるのである。
【０００８】
請求項２に記載の発明は、特に、プラスチックレンズを射出成形時に形成されるゲートから分離した後に外部応力を加えることで、プラスチックレンズを射出ゲートから分離するときに加わる外部応力に応じた非点収差を見極めた後に調整できるので、より高度な制御ができるのである。
【０００９】
請求項３に記載の発明は、特に、非有効径部の外周端部分に対して切削加工で凹部を形成することにより外部応力を加えることで、容易に非点収差を調整することができるのである。
【００１０】
請求項４に記載の発明は、特に、凹部の幅により非点収差を調整することで、容易に非点収差を調整することができるのである。
【００１１】
請求項５に記載の発明は、特に、凹部の深さにより非点収差を調整することで、容易に非点収差を調整することができるのである。
【００１２】
請求項６に記載の発明は、特に、凹部の位置により非点収差を調整することで、容易に非点収差を調整することができるのである。
【００１３】
請求項７に記載の発明は、特に、凹部を複数設けて非点収差を調整することで、容易に非点収差を調整することができるのである。
【発明の効果】
【００１４】
本発明のプラスチックレンズの製造方法によれば、特に、射出成形によってプラスチックレンズの有効径部に生じる複屈折に起因する非点収差をプラスチックレンズの非有効径部の外周側面に対して外部応力を加えることで調整することで、射出成形後に非点収差を任意に調整でき、ピックアップ装置における非点収差の調整を容易に行えるようになるのである。
【発明を実施するための最良の形態】
【００１５】
以下、本発明の一実施の形態について図を用いて説明する。なお、上述した背景技術と同様の構成については同じ符号を付して説明する。
【００１６】
図１はＤＶＤなどの光学式情報記録媒体の記録／再生を行うための光ピックアップ装置を示す図であり、その構造は主として光学信号を生成する発光素子５と、光学信号を情報記録媒体６に集光する対物レンズ７と、情報記録媒体６からの反射信号を受光素子８に分岐するビームスプリッタ９から構成されている。また対物レンズ７は、低価格化や軽量化のために現在その大半がプラスチック材料を用いて成形されている。
【００１７】
そして、このようなプラスチック材料を用いた対物レンズ７を形成するには図２に示されるよう成形金型１０により形成されたキャビティ１１内に溶融樹脂を注入する、いわゆる射出成形によって形成されることが多く、この射出成形により形成された対物レンズ７は先に図４を用いて説明したように射出方向３に対して複屈折が生じて非点収差が付加されるため、結果的にそのスポット４の形状が楕円形状となってしまう。
【００１８】
そこで、この一実施の形態においては、図３に示すように射出成形により形成された対物レンズ７における光学機能面を形成する有効径部１２の外周部分に位置し外部取り付けなどに用いられる非有効径部１３に対して、射出成形後に図２に示す成形金型１０から取り出した成形品に対して外部応力を加えることでスポット４の形状を調整するものとしたのである。
【００１９】
すなわち、図３に示されるような対物レンズ７は射出成形後において射出成形による非点収差の付加によりスポット形状１４が破線で示されるような楕円形状に形成されてしまうため、射出成形後にそのスポット形状１４が真円状に近づくよう対物レンズ７に外部応力１５を加えて内部応力を発生させ、その内部応力により新たな非点収差を発生させるのである。
【００２０】
具体的には、楕円となったスポット形状１４を真円状に調整するためには楕円の長手方向が直交する新たな楕円のスポット形状１６を形成すればよく、射出成形後に射出成形によって形成された非点収差を打ち消す方向、つまり光軸２とゲート１を結ぶ射出方向３に直交する方向から外部応力１５を加えることで、その外部応力１５が対物レンズ７の内部に内部応力として蓄積され、その蓄積された内部応力によって新たに楕円のスポット形状１６が形成されるような非点収差が付加されることとなる。よって対物レンズ７としてはそれら２つのスポット形状１４，１６の合成によりそのスポットの形状が決定するため、成形後において対物レンズ７のスポット形状を調整することができるのである。
【００２１】
つまり、図１に示された光ピックアップ装置において発光素子５が有する非点収差の度合いに応じた非点収差を対物レンズ７に付与することが可能となり、高密度化が進む情報記録媒体６に対して非常に小さなスポットを結ぶことが可能となるのである。
【００２２】
また、射出成形後の対物レンズ７に対して外部応力１５を加えるにあたっては、図３に示されるよう非有効径部１３の外周端部分にバイト加工などの切削加工により凹部１７を形成する程度でよく、非点収差の付加量は凹部１７の幅ｗや深さｄや形成する位置、或いはそれらの組み合わせにより任意に調整することができるのである。
【００２３】
例えば、凹部１７の幅ｗを変えることでスポット形状１６の幅ｗ方向の調整ができ、凹部１７の深さを変えることでスポット形状１６の深さｄ方向の調整ができ、凹部１７を形成する位置を変えることでスポット形状１６の長手方向の調整ができ、また、凹部１７を複数形成することでより高度な調整が可能となるのである。
【００２４】
なお、外部応力１５を加えるにあたっては、図３に示す対物レンズ７から破線で示すゲート１を分離した後に行うことが望ましく、これはゲート１の分離する際に加わる応力によるスポット形状の変化をも含めて調節することができるからである。
【産業上の利用可能性】
【００２５】
本発明にかかるプラスチックレンズの製造方法は、射出成形後に非点収差を任意に調整でき、ピックアップ装置における非点収差の調整を容易に行えるという効果を有し、特に射出成形により形成されるプラスチックレンズの製造方法に有用である。
【図面の簡単な説明】
【００２６】
【図１】本発明の一実施の形態における光ピックアップ装置の構造を示す図
【図２】同光ピックアップ装置に用いられるプラスチックレンズを成形する成形金型を示す図
【図３】同プラスチックレンズの上面図
【図４】従来のプラスチックレンズ及びそのスポットを示す図
【符号の説明】
【００２７】
１  ゲート
７  対物レンズ（プラスチックレンズ）
１２  有効径部
１３  非有効径部
１５  外部応力
１７  凹部
【図１】
2005084080.tif 000003
【図２】
2005084080.tif 000004
【図３】
2005084080.tif 000005
【図４】
2005084080.tif 000006